(57)【特許請求の範囲】
【請求項１】
ネットワークを介して接続された携帯端末装置との間で通信可能なテレビ受信装置であって、
記録媒体に記録された動画データを再生制御する再生制御手段と、
前記再生制御手段により再生された前記動画データを、前記ネットワークを介して前記携帯端末装置に送信する通信手段と、
前記ネットワークの通信エラーの発生を検出する検出手段と、
前記動画データの送信中に、前記検出手段により前記通信エラーの発生が検出された場合に、前記通信エラーが発生したときの前記動画データの再生位置を示す再生位置情報を記憶部に記憶する記憶手段
とを有し、
前記再生制御手段は、前記記憶部に記憶された前記再生位置情報の示す再生位置から、前記記録媒体に記録された前記動画データを再び再生させることが可能である
ことを特徴とするテレビ受信装置。
【請求項２】
前記ネットワークは、ＴＣＰ／ＩＰを用いたネットワークであり、
前記検出手段は、前記通信手段が前記ネットワークを介して送信したＴＣＰ／ＩＰのセグメントを、前記携帯端末装置が正常に受信したとの応答が返ってこなくなった場合に、前記ネットワークの通信エラーが発生したことを検知する
ことを特徴とする請求項１に記載のテレビ受信装置。
【請求項３】
前記記憶手段は、前記検出手段により前記通信エラーの発生が検出された場合に、前記再生位置情報とともに、前記再生位置情報の示す再生位置に対応する静止画像を前記記憶部に記憶し、
前記再生制御手段は、前記記録媒体に記録された前記動画データを再生制御する際に、前記記憶部に記憶された前記静止画像を提示する
ことを特徴とする請求項１または請求項２に記載のテレビ受信装置。
【請求項４】
ネットワークを介して接続されたテレビ受信装置と携帯端末装置との間で通信可能なネットワークシステムであって、
前記携帯端末装置は、
前記ネットワークを介して前記テレビ受信装置から受信した動画データをデコードするためのデコーダと、
前記デコーダのデコードエラーの発生を検出し、前記ネットワークを介して前記テレビ受信装置に前記デコードエラーの発生を通知する通知手段
とを有し、
前記テレビ受信装置は、
記録媒体に記録された動画データを再生制御する再生制御手段と、
前記再生制御手段により再生された前記動画データを、前記ネットワークを介して前記携帯端末装置に送信する通信手段と、
前記動画データの送信中に、前記通知手段から前記デコードエラーの発生が通知された場合に、前記デコードエラーが発生したときの前記動画データの再生位置を示す再生位置情報を記憶部に記憶する記憶手段
とを有し、
前記再生制御手段は、前記記憶部に記憶された前記再生位置情報の示す再生位置から、前記記録媒体に記録された前記動画データを再び再生させることが可能である
ことを特徴とするネットワークシステム。
【請求項５】
前記ネットワークは、ＴＣＰ／ＩＰを用いたネットワークであり、
前記携帯端末装置の前記通知手段は、ＴＣＰ／ＩＰのヘッダの一部をデコードエラーの通知に用いる
ことを特徴とする請求項４に記載のネットワークシステム。
【請求項６】
前記記憶手段は、前記通知手段から前記デコードエラーの発生が通知された場合に、前記再生位置情報とともに、前記再生位置情報の示す再生位置に対応する前記動画データの静止画像を記憶し、
前記再生制御手段は、前記記録媒体に記録された前記動画データを再生制御する際に、前記記憶部に記憶された前記静止画像を提示する
ことを特徴とする請求項４または請求項５に記載のネットワークシステム。
【請求項７】
ネットワークを介して接続された携帯端末装置との間で通信可能なテレビ受信装置の制御方法であって、
記録媒体に記録された動画データを再生制御する再生制御ステップと、
再生された前記動画データを、前記ネットワークを介して前記携帯端末装置に送信する送信ステップと、
前記ネットワークの通信エラーの発生を検出する検出ステップと、
前記動画データの送信中に、前記検出ステップで前記通信エラーの発生が検出された場合に、前記通信エラーが発生したときの前記動画データの再生位置を示す再生位置情報を記憶部に記憶する記憶ステップ
とを有し、
前記記憶部に記憶された前記再生位置情報の示す再生位置から、前記記録媒体に記録された前記動画データを再び再生させることが可能である
ことを特徴とするテレビ受信装置の制御方法。
【請求項８】
ネットワークを介して接続されたテレビ受信装置と携帯端末装置との間で通信可能なネットワークシステムの制御方法であって、
前記テレビ受信装置が記録媒体に記録された動画データを再生制御する再生制御ステップと、
再生された前記動画データを、前記ネットワークを介して前記テレビ受信装置から前記携帯端末装置に送信する送信ステップと、
前記携帯端末装置が、前記ネットワークを介して前記テレビ受信装置から受信した動画データをデコードするデコードステップと、
デコードエラーの発生を検出し、前記ネットワークを介して前記携帯端末装置から前記テレビ受信装置に前記デコードエラーの発生を通知する通知ステップと、
前記テレビ受信装置が、前記動画データの送信中に前記デコードエラーの発生が通知された場合に、前記デコードエラーが発生したときの前記動画データの再生位置を示す再生位置情報を記憶部に記憶する記憶ステップ
とを有し、
前記記憶部に記憶された前記再生位置情報の示す再生位置から、前記記録媒体に記録された前記動画データを再び再生させることが可能である
ことを特徴とするネットワークシステムの制御方法。
【発明の詳細な説明】
【技術分野】
【０００１】
本発明は、テレビ受信装置、ネットワークシステム及びこれらの制御方法に関し、更に詳しく述べると、携帯端末と連携し、外出先でも家庭内のテレビ受信装置の制御可能なコンテンツを制御・視聴することが可能なネットワークシステムに於いて、移動中にコンテンツを受信・表示している携帯端末上で様々なエラーが発生し、携帯端末上で視聴が困難になった場合でも、特別な操作なしに簡単にテレビ受信装置により再視聴を行うことの出来る視聴環境をユーザに提供することを可能にするテレビ受信装置、ネットワークシステム及びこれらの制御方法に関する。
【背景技術】
【０００２】
【先行技術文献】
【特許文献】
【０００３】
【特許文献１】特開２００２−７７８３９号公報
【０００４】
デジタル放送波を携帯電話やＰＤＡ（Ｐｅｒｓｏｎａｌ  Ｄｉｇｉｔａｌ  Ａｓｓｉｓｔａｎｃｅ）などの携帯端末で視聴する技術や、テレビ受信装置で受信した放送コンテンツ又はテレビ受信装置で制御可能な蓄積コンテンツを携帯端末に送信し、視聴する技術が、期待されている。これらの技術により、ユーザは、家庭のリビングルームから離れた場所にいながら、コンテンツの視聴を楽しむことが可能になる。
【０００５】
一例に地上波デジタル放送が挙げられる。地上波デジタル放送の特徴の一つとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）を採用したことがあり、これにより、マルチパス干渉に強くなる。従って、移動によって電波の干渉条件が時々刻々変化しても、映像が乱れにくく、且つ屋外に設置するような大型アンテナを使用せずに、機器に内蔵した小型アンテナで電波を受信できる。こうした技術的な特徴を基に、携帯端末で放送コンテンツを視聴するといった技術が確立されようとしている。
【０００６】
また、一度蓄積したコンテンツを携帯端末で受信したいとする希望がある。このような装置、方法及びシステムが、特許文献１に記載されている。特許文献１に記載の技術では、携帯端末からネットワークを介しテレビ放送受信機能付き録画機に録画の要求を送信し、この要求を受信した録画機は、指定されたコンテンツを録画する。録画機はまた、携帯端末からの指示に従いネットワークを介して録画コンテンツを携帯端末に送信する。この技術を用いることで、蓄積されたコンテンツを外出先から携帯端末を用いて視聴することが可能になる。
【発明の概要】
【発明が解決しようとする課題】
【０００７】
携帯端末により外出先で家庭内のテレビ受信装置のコンテンツを制御・視聴することが可能なネットワークシステム及びそのようなテレビ受信装置は、ユーザニーズも大きく、大変期待されている技術である。
【０００８】
このような技術により、ユーザは、予期せぬ突然の外出や録画予約のし忘れなどにより所望のコンテンツを見逃してしまうという危険性を回避することが出来るばかりか、移動中に所望のコンテンツを見られることになり、時間をより有効に活用することが可能になる。
【０００９】
しかし、このような技術を利用するにあたり懸念される問題点が幾つかある。例えば、移動中の携帯端末では、受信状態によりエラーが度々発生してしまう。このようなエラーにより正常な視聴が困難となった場合、ユーザは帰宅後にコンテンツの続きを視聴することが考えられるが、その際の操作が煩雑になる。
【００１０】
また、ユーザが外出先で携帯端末を利用してテレビ受信装置で制御可能なコンテンツを視聴しながら移動している状況を想定する。このユーザが電車や自動車など、比較的高速での移動手段を利用していた場合、携帯端末の受信環境は、時々刻々と変化することになる。時には、トンネル内など受信状態の悪いエリアに入ってしまうこともあれば、携帯端末の受信カバーエリアの範囲外に出てしまうこともある。このような場合、携帯端末は電波を受信することが出来ず、受信エラーの状態となり、ユーザにコンテンツを提示することが不可能になる。このような受信エラー以外にも、回線の通信負荷状況に起因する通信エラー、及び携帯端末の処理能力に起因するデコードエラーなど、様々なエラーが考えられる。当然の如く、程度の差こそあれ、徒歩などの低速移動中に於いても同様である。
【００１１】
上記したように、外出先で携帯端末を利用してテレビ受信装置で制御可能なコンテンツの視聴時にエラーが発生し、視聴が困難になった場合、ユーザは帰宅後にそのコンテンツを再視聴することが予想される。ユーザがそのコンテンツに対し、特別な思い入れがある場合には、始めから視聴し直すことも十分有り得るが、通常は、視聴済みの箇所を飛ばし、視聴が困難になったあたりから視聴し直すという使い方をすると考えられる。
【００１２】
携帯端末でのエラー発生の仕方によっては、所々視聴困難な箇所があった場合に、その箇所だけを帰宅後確認したいという視聴方法も考えられる。
【００１３】
このような種々の状況に於いて、ユーザは、帰宅後、コンテンツを再視聴する為にテレビ受信装置を視聴可能な状態にし、コンテンツをテレビ受信装置に表示させ、もしコンテンツの再生位置が所望のものと異なっていた場合、早送り／巻き戻し又はこれに相当する操作によって再生位置を調整することで初めて、所望の位置からの視聴が可能になる。このように、ユーザは、帰宅直後に上記した複数の操作を一度に強いられる。更には、視聴を望む再生位置が複数箇所に及ぶ場合、以上の操作を何度も繰り返すことによって初めて、所望の箇所を全て視聴することが可能になる。
【００１４】
テレビのようなコンシューマ製品は、パーソナルコンピュータ等とは異なり、より広いユーザ層が利用すると考えられる。中には、機器の細かな操作に精通しているとは言いかねるユーザもいる。そのようなユーザが上述したような操作を好んで遂行するとは非常に考えがたい。例え技術的に優れ、ユーザからの期待が大きくても、ユーザ・インタフェースの観点からユーザに支持されなければ、普及しない。
【００１５】
このように、外出先で携帯端末により視聴していたコンテンツの続きをテレビ受信装置で視聴する場合、ユーザ・インタフェースの観点で良好な操作性が望まれる。
【００１６】
本発明は、所望のコンテンツ視聴を簡単に行うことを可能にするテレビ受信装置、ネットワークシステム及びこれらの制御方法を提示することを目的とする。
【課題を解決するための手段】
【００１７】
本発明に係るテレビ受信装置は、ネットワークを介して接続された携帯端末装置との間で通信可能なテレビ受信装置であって、記録媒体に記録された動画データを再生制御する再生制御手段と、前記再生制御手段により再生された前記動画データを、前記ネットワークを介して前記携帯端末装置に送信する通信手段と、前記ネットワークの通信エラーの発生を検出する検出手段と、前記動画データの送信中に、前記検出手段により前記通信エラーの発生が検出された場合に、前記通信エラーが発生したときの前記動画データの再生位置を示す再生位置情報を記憶部に記憶する記憶手段とを有し、前記再生制御手段は、前記記憶部に記憶された前記再生位置情報の示す再生位置から、前記記録媒体に記録された前記動画データを再び再生させることが可能であることを特徴とする。
【００１８】
本発明に係るネットワークシステムは、ネットワークを介して接続されたテレビ受信装置と携帯端末装置との間で通信可能なネットワークシステムであって、前記携帯端末装置は、前記ネットワークを介して前記テレビ受信装置から受信した動画データをデコードするためのデコーダと、前記デコーダのデコードエラーの発生を検出し、前記ネットワークを介して前記テレビ受信装置に前記デコードエラーの発生を通知する通知手段とを有し、前記テレビ受信装置は、記録媒体に記録された動画データを再生制御する再生制御手段と、前記再生制御手段により再生された前記動画データを、前記ネットワークを介して前記携帯端末装置に送信する通信手段と、前記動画データの送信中に、前記通知手段から前記デコードエラーの発生が通知された場合に、前記デコードエラーが発生したときの前記動画データの再生位置を示す再生位置情報を記憶部に記憶する記憶手段とを有し、前記再生制御手段は、前記記憶部に記憶された前記再生位置情報の示す再生位置から、前記記録媒体に記録された前記動画データを再び再生させることが可能であることを特徴とする。
【００１９】
本発明に係るテレビ受信装置の制御方法は、ネットワークを介して接続された携帯端末装置との間で通信可能なテレビ受信装置の制御方法であって、記録媒体に記録された動画データを再生制御する再生制御ステップと、再生された前記動画データを、前記ネットワークを介して前記携帯端末装置に送信する送信ステップと、前記ネットワークの通信エラーの発生を検出する検出ステップと、前記動画データの送信中に、前記検出ステップで前記通信エラーの発生が検出された場合に、前記通信エラーが発生したときの前記動画データの再生位置を示す再生位置情報を記憶部に記憶する記憶ステップとを有し、前記記憶部に記憶された前記再生位置情報の示す再生位置から、前記記録媒体に記録された前記動画データを再び再生させることが可能であることを特徴とする。
【００２０】
本発明に係るテレビ受信装置の制御方法は、ネットワークを介して接続されたテレビ受信装置と携帯端末装置との間で通信可能なネットワークシステムの制御方法であって、前記テレビ受信装置が記録媒体に記録された動画データを再生制御する再生制御ステップと、再生された前記動画データを、前記ネットワークを介して前記テレビ受信装置から前記携帯端末装置に送信する送信ステップと、前記携帯端末装置が、前記ネットワークを介して前記テレビ受信装置から受信した動画データをデコードするデコードステップと、デコードエラーの発生を検出し、前記ネットワークを介して前記携帯端末装置から前記テレビ受信装置に前記デコードエラーの発生を通知する通知ステップと、前記テレビ受信装置が、前記動画データの送信中に前記デコードエラーの発生が通知された場合に、前記デコードエラーが発生したときの前記動画データの再生位置を示す再生位置情報を記憶部に記憶する記憶ステップとを有し、前記記憶部に記憶された前記再生位置情報の示す再生位置から、前記記録媒体に記録された前記動画データを再び再生させることが可能であることを特徴とする。
【発明の効果】
【００２１】
本発明によれば、移動中にコンテンツを受信・表示している携帯端末上でエラーが発生し、携帯端末上で視聴が困難になった場合でも、特別な操作なしに簡単にテレビ受信装置により所望のコンテンツ視聴を行うことの出来る視聴環境をユーザに提供することが出来、ユーザにとって煩わしい操作を回避することを可能にする。
【００２２】
非常に煩雑な操作が予想されるコンテンツの再視聴に於いて、最適なユーザ・インタフェース及びシステムを提供することで、快適な視聴環境を実現することが出来るようになった。
【００２３】
移動中にコンテンツを受信・表示している携帯端末上で様々なエラーが発生し、携帯端末上で視聴が困難になった場合でも、特別な操作なしに簡単にテレビ受信装置により欠落した場面の再視聴を行うことの出来る視聴環境をユーザに提供することが出来る。
【００２４】
移動中にテレビ受信装置のコンテンツを受信・表示している携帯端末上でのエラーにより、携帯端末上でのコンテンツ視聴ができない部分又は見難い部分が発生した場合に於いて、ユーザは帰宅後テレビ受信装置にて再視聴する際、所望の箇所を探してから視聴するといった煩わしい操作を回避し、特別な設定なしに所望のコンテンツ視聴を行うことの出来る視聴環境をユーザに提供できる。
【図面の簡単な説明】
【００２５】
【図１】本発明の第１実施例に係るテレビ受信装置の概略構成ブロック図。
【図２】Ｄ−ＶＨＳの概略構成ブロック図。
【図３】携帯電話の外観を示す図
【図４】携帯電話の概略構成ブロック図。
【図５】ネットワークシステムの一構成例を示す図。
【図６】携帯電話、テレビ受信装置及びＤ−ＶＨＳ間のデータ通信の制御フローを示す図。
【図７】携帯電話の画面に表示されるコンテンツリストの一例を示す図。
【図８】テレビ受信装置の動作説明図。
【図９】携帯端末の動作説明図。
【図１０】ＴＣＰヘッダのフォーマットを示す図。
【図１１】ＴＣＰヘッダの予約領域の各ビットの役割を示す図。
【図１２】テレビ受信装置が表示するメッセージの一例を示す図。
【図１３】第２実施例におけるテレビ受信装置の概略構成ブロック図。
【図１４】テレビ受信装置が表示するメッセージの一例を示す図。
【図１５】第３実施例におけるテレビ受信装置の概略構成ブロック図。
【発明を実施するための形態】
【００２６】
以下、図面を参照して、本発明の実施例を詳細に説明する。
【実施例１】
【００２７】
図１は、本発明の一実施例であるデジタルテレビ受信装置１００の概略構成ブロック図を示す。
【００２８】
不図示のアンテナで受信された信号はチューナ部１０１に入力する。チューナ部１０１は、入力信号に復調及び誤り訂正等の処理を施し、トランスポートストリームと呼ばれる形式のデジタルデータを生成する。生成されたトランスポートストリーム（ＴＳ）データは、デスクランブラ１０２に入力する。
【００２９】
デスクランブラ１０２は、視聴制限のためのスクランブルがかけられているＴＳデータがチューナ部１０１から入力された場合、ＴＳデータに含まれるデスクランブルのための鍵情報とＩＣカード制御部１１７から出力される鍵情報とに基づいて、スクランブルを解除し、スクランブルを解除したＴＳデータをデマルチプレクサ１０３に出力する。
【００３０】
ＩＣカード部１１７は、ユーザの契約情報及びＴＳデータに含まれるデスクランブラのための鍵情報を解くための鍵情報が格納されているＩＣカードを含み、デスクランブラ１０２から入力されたデスクランブルのための鍵情報を解くための鍵情報があった場合、その鍵情報をデスクランブラ１０２に出力する。
【００３１】
また、デスクランブラ１０２は、チューナ部１０１からスクランブルがかけられていないＴＳデータが入力した場合には、そのＴＳデータをそのままデマルチプレクサ１０３に出力する。デスクランブラ１０２の出力データは、複数チャネル分の映像音声データ、電子番組ガイド（ＥＰＧ）データ及びデータ放送データ等が時分割多重化されたＴＳデータである。
【００３２】
デマルチプレクサ１０３は、デスクランブラ１０２から入力するＴＳデータの中から、操作部１１４又はリモコン１１６の操作により選択されたチャネルの映像データＤ１及び音声データＤ２を取り出し、映像データＤ１をビデオデコーダ１０４に出力し、音声データＤ２をオーディオデコーダ１０５に出力する。また、デマルチプレクサ１０３は、ＴＳデータからデータ放送／ＥＰＧデータＤ３を取り出し、データストリーム処理部１０６に出力する。データストリーム処理部１０６によって処理されたデータ放送／ＥＰＧデータは、バス１２０を介してメモリ１０７に取り込まれ、ＣＰＵ１１８によるソフトウェア処理の後に不図示の記録媒体に格納される。
【００３３】
ＴＳデータはパケット単位で伝送される。そのパケットの先頭部分には、ＰＩＤ（Ｐａｃｋｅｔ  ＩＤｅｎｔｉｆｉｃａｔｉｏｎ）が付加されている。デマルチプレクサ１０３は、このＰＩＤを読み取ることで、映像データＤ１、音声データＤ２及びデータ放送／ＥＰＧデータＤ３を識別する。
【００３４】
映像データの処理を説明する。ビデオデコーダ１０４は、デマルチプレクサ１０３から出力される映像データＤ１にＭＰＥＧ２デコード処理を施し、復号した映像データを表示制御部１０９に出力する。表示制御部１０９は、ビデオデコーダ１０４及び画面構成部１０８からの画像データを、リモコン１１６の操作に応じて、切り換え又は多重して画像表示部１１２に表示させる。複数の画像データ・音声データ・データ放送／ＥＰＧデータを受信した場合は、ここで画像を合成し、画像表示部１１２に出力する。画面表示部１１２は、不図示のモニタ及び映像信号入力端子を含む。
【００３５】
次に、音声データの処理を説明する。オーディオデコーダ１０５は、デマルチプレクサ１０３から出力される音声データＤ２にＭＰＥＧ２デコード処理を施し、復号した音声データをデジタル／アナログ変換器（ＤＡＣ）１１０に印加する。ＤＡＣ１１０は、オーディオデコーダ１０５から出力される音声データをアナログ信号に変換して、音声出力部１１３に印加する。音声出力部１１３は、不図示のスピーカ及び音声信号入力端子を含む。
【００３６】
データ放送／ＥＰＧデータＤ３の処理を説明する。電子番組ガイド（ＥＰＧ）データは、社団法人電波産業会（通称「ＡＲｉＢ」）に於ける標準規格「デジタル放送に使用する番組陳列情報」等で規定されるデータ構造で伝送される。主要な構成データとして、編成チャンネルの名称及び放送事業者の名称等の、編成チャンネルに関する情報を伝送するＳＤＴ（Ｓｅｒｖｉｃｅ  Ｄｅｓｃｒｉｐｔｉｏｎ  Ｔａｂｌｅ）、ブーケ（編成チャンネルの集合）の名称及び含まれる編成チャンネル等の、ブーケに関する情報を伝送するＢＡＴ（Ｂｏｕｑｕｅｔ  Ａｓｓｏｃｉａｔｉｏｎ  Ｔａｂｌｅ）、番組の名称、放送開始日時及び内容の説明等の、番組に関する情報を伝送するＥＩＴ（Ｅｖｅｎｔ  Ｉｎｆｏｒｍａｔｉｏｎ  Ｔａｂｌｅ）、並びに、現在の日付・時刻の情報を伝送するＴＤＴ（Ｔｉｍｅ  Ｄａｔａ  Ｔａｂｌｅ）等がある。
【００３７】
データ放送／ＥＰＧデータＤ３は、ＳＤＴ、ＥＩＴ及びＴＤＴ等のデータを含む。データストリーム処理部１０６は、先ずＴＤＴを読み出し、現在時刻の情報を取得すると共に、ＣＰＵ１１８に現在時刻の情報を出力する。ＣＰＵ１１８は、現在時刻に対応したＥＰＧ表示の時間帯を判別し、適当な時間帯情報をデータストリーム処理部１０６に出力する。
【００３８】
次に、データストリーム処理部１０６は、ＣＰＵ１１８からの時間帯情報に基づいて、メモリ１０７からＳＤＴを読み出し、番組表の有無を確認し、自他ストリームのチャンネル名及びチャンネル番号等の情報を取得する。データストリーム処理部１０６は、更に、メモリ１０７からＥＩＴを読み出し、自他ストリームの各チャンネル中の番組名、その開始時刻、カテゴリ及び番組の説明等の情報を取得する。データストリーム処理部１０６は、メモリ１０７から読み出されたデータ放送／ＥＰＧデータＤ３にデコード処理を施し、復号されたＥＰＧデータを画面構成部１０８に出力する。
【００３９】
画面構成部１０８は、データストリーム処理部１０６からのＥＰＧデータに基づいて、ＥＰＧ画面を構成する為のキャラクタ信号を表示制御部１０９に出力する。
【００４０】
表示制御部１０９は、操作部１１４及びリモコン１１６の操作に応じて、ビデオデコーダ１０４から出力される映像データに係る映像と、画面構成部１０８から出力されるキャラクタ信号に係るＥＰＧ画面を切り換えて表示するように、画像表示部１１２に映像信号を出力する。表示制御部１０９は、操作部１１４及びリモコン１１６でＥＰＧ画面表示の指示操作があった場合、画面構成部１０８から出力されるキャラクタ信号のＥＰＧ画面を映像表示部１１２に出力する。
【００４１】
データ放送では、ＩＳＯ／ＩＥＣ１３８１８−６に規定されているＤＳＭ−ＣＣのデータカルーセル方式により放送局から繰り返しデジタルデータが送出される。デマルチプレクサ１０３によってフィルタリングされたデータ放送データは、テキスト情報、スクリプト情報、画像情報及び映像・音声データを含み、テキスト情報は、Ｗ３Ｃの規定するＸＭＬ（ｅＸｔｅｎｓｉｂｌｅ  Ｍａｒｋｕｐ  Ｌａｎｇｕａｇｅ）によって記述されている。
【００４２】
データストリーム処理部１０６は、データ放送／ＥＰＧデータＤ３から、テキスト情報と画像情報からなるＥＰＧデータと、テキスト情報、画像情報及び映像・音声データからなるデータ放送データを復号処理し、これらのデータは、バス１２０を介してメモリ１０７に格納される。
【００４３】
受光部１１５は、リモコン１１６からのユーザの操作情報を赤外線信号として受信し、バス１２０を介してＣＰＵ１１８に送信する。
【００４４】
ＣＰＵ１１８は、種々の情報に従い、テレビ受信装置１００を統合的に制御する。
【００４５】
バス１２０には更に、ＩＥＥＥ１３９４インターフェース１２１、エンコーダ１２２、通信制御部１２３及び再生位置記憶部１２４が接続する。ＩＥＥＥ１３９４インターフェース１２１は、テレビ受信装置１００に外部のＤ-ＶＨＳ１３０及びプリンタ１３１等を接続するのに使用される。エンコーダ１２２は、Ｄ-ＶＨＳ１３０及び不図示の記憶媒体からの蓄積コンテンツデータを携帯端末の受信・再生に適したデータフォーマットに変換する為に用いられる。通信制御部１２３はインターネットに接続し、携帯端末とＴＣＰ／ＩＰを用いて通信を行うことが可能である。再生位置記憶部１２４は、通信制御部１２３から送られるコンテンツの再生開始位置としてＴＣＰ／ＩＰヘッダのシーケンス番号とコンテンツのタイムスタンプを記憶する。再生位置記憶部１２４の詳細は、後述する。
【００４６】
図２を用いて、Ｄ−ＶＨＳ１３０を説明する。ＩＥＥＥ１３９４インターフェース２０１は、他のＩＥＥＥ１３９４インターフェース、この実施例では、テレビ受信装置１００のＩＥＥＥ１３９４インターフェース１２１に接続する。Ｄ−ＶＨＳ本体部２０２は、映像音声データを記録媒体に記録し、記録媒体の記録映像音声データ（ビデオデータ）を再生する。エンコーダ／デコーダ２０３は、テレビ受信装置１００との間で映像データを送受信するためにデータフォーマットを変換する。制御部２０４は、Ｄ-ＶＨＳ本体部２０２とエンコーダ／デコーダ２０３を統括的に制御する。
【００４７】
テレビ受信装置１００は、リモコン１１６及び後述する携帯端末経由により、ユーザからＤ−ＶＨＳ１３０の制御要求を受けた場合、ＩＥＥＥ１３９４  ＡＶＣコマンドによる通信プロトコルを用いてＤ−ＶＨＳ１３０を制御する。ここで説明する蓄積コンテンツは、Ｄ−ＶＨＳ１３０に蓄積されているものとする。
【００４８】
図３は、携帯電話（携帯端末装置）の外観を示し、図４は、携帯端末の概略構成ブロック図を示す。
【００４９】
携帯電話３００には、送受信用のアンテナ３０１が、引き出し及び収容可能に取り付けられている。スピーカ３０２から通話先の音声が出力される。ディスプレイ３０３は、電波状態及び保存されている電話帳などの各種情報を表示するとともに、テレビ受信装置１００からのコンテンツデータを表示する。各種操作のための操作入力部３０４は、テンキーを含む。マイクロフォン３０５は、通話時のユーザの音声を集音する。携帯電話本体部３０７は、アンテナ３０１及びマイクロフォン３０５を含む一般的な携帯電話の機能を提供する。通信制御部３０８は、公衆回線網に設けられたサーバを介して簡易トランスポートプロトコルによりインターネットに接続する機能を具備する。デコーダ３０９は、通信制御部３０８で受信したコンテンツデータをデコードし、表示部３０３に出力する。バッファ３１０は、簡易トランスポートプロトコルでウインドウ制御を行う為に用意される。
【００５０】
図５は、本実施例で使用するネットワークシステムの一例を示す。携帯端末３００は、例えばＷ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）などにより固定無線基地局４０１と無線接続されている。Ｗ−ＣＤＭＡでは、高速移動時１４４ｋｂｐｓ、歩行時３８４ｋｂｐｓ、静止時２Ｍｂｐｓのデータ伝送能力があり、動画・音声によるリアルタイムの通信が可能となっている。固定無線基地局４０１は、更に、ゲートウェイの役割を果たしており、後述するＴＣＰとｗ-ＴＣＰ（Ｗｉｒｅｌｅｓｓ  Ｐｒｏｆｉｌｅｄ  ＴＣＰ）のインターフェースとなる。
【００５１】
固定無線基地局４０１は有線で公衆回線網４０２に接続し、公衆回線網４０２は、インターネット４０３、並びに図示しない多くの加入者有線端末及びコンピュータネットワークに接続する。インターネット４０３には図示しないＷＷＷサーバを含む多数のサーバが接続し、携帯端末３００及びテレビ受信装置１００とは、これらのサーバとＴＣＰ／ＩＰプロトコルに従って通信可能である。ゲートウェイ４０４は、インターネット４０３とテレビ受信装置１００との間のインターフェースの役割を果たす。
【００５２】
テレビ受信装置１００は、接続されたＤ−ＶＨＳ１３０を制御し、コンテンツをインターネット４０３を介して携帯端末３００に送出する。テレビ受信装置１００からインターネット４０３を介して固定無線基地局４０１までは、全てＴＣＰ／ＩＰプロトコルが使用され、固定無線基地局４０１から携帯端末３００までは、簡易トランスポートプロトコルとして上述のｗ-ＴＣＰが使用される。
【００５３】
ｗ-ＴＣＰを簡単に説明する。トラフィックが狭い無線通信には、従来、ＴＣＰ／ＩＰよりも通信シーケンスの少ないＵＤＰ／ＩＰが使用されていた。しかし、ＵＤＰ／ＩＰでは、大きなデータを受信することが出来ない。そこで、ＴＣＰ／ＩＰに存在する幾つかのパラメータ設定を無線通信用にチューニングしたものがｗ-ＴＣＰである。新たにプロトコルを作成したというよりは、ＴＣＰ／ＩＰに無線に適したデフォルト値を与えて作ったものと考えることが出来る。本実施例は、ＴＣＰ／ＩＰを一部拡張して使用する。例えば、ヘッダの一部の予約領域をデコードエラーの検出用に利用するなどである。ここで、使用する拡張仕様に関しての詳細は、後述する。
【００５４】
図５に示すネットワークシステムにおいて、携帯端末３００からテレビ受信装置１００に制御信号を送信でき、また、テレビ受信装置１００は、Ｄ-ＶＨＳ１３０の蓄積コンテンツである動画データを携帯端末３００に送信出来る。この動作の詳細を説明する。
【００５５】
図６は、携帯電話３００、テレビ受信装置１００及びＤ−ＶＨＳ１３０間のデータ通信フローを示す。
【００５６】
携帯電話３００は、テレビ受信装置１００とＴＣＰ／ＩＰによる通信を行う為に、通信許可を要請するコマンドをテレビ受信装置１００に送信する。このコマンドを受信したテレビ受信装置１００は、通信を許可するか否かを判断し、ＯＫの場合は、その旨と共に携帯電話３００への通信許可を要請するコマンドを送信する。このコマンドを受信した携帯端末３００が最後に通信許可を示すコマンドをテレビ受信装置１００に送ることで、ＴＣＰコネクションが確立され、通信路が確保されたことになる（５００）。
【００５７】
通信経路の確立が終了すると、携帯端末３００は、テレビ受信装置１００のＨＴＭＬで記述された制御可能なコンテンツ一覧をＨＴＴＰで要求する（５０１）。テレビ受信装置１００で制御可能なコンテンツとは、例えば、ＩＥＥＥ１３９４で接続された機器のコンテンツ及び内蔵ＨＤＤに蓄積されたコンテンツなどであり、本実施例では、Ｄ-ＶＨＳ１３０のコンテンツである。要求を受けたテレビ受信装置１００は、制御可能なコンテンツのリストをＨＴＭＬに従って作成し、ＨＴＴＰで携帯端末３００に送信する（５０２）。図７は、携帯電話３００が受信し、表示するコンテンツリストの一例を示す。
【００５８】
ユーザは、携帯電話３００の表示部３０３に表示されたＧＵＩを操作入力部３０４により操作し、視聴を希望するコンテンツを選択する。携帯電話３００は、ユーザにより何れかのコンテンツが選択された場合、選択されたコンテンツの送信要求をテレビ受信装置１００に送信する（５０３）。
【００５９】
コンテンツ送信要求を受信したテレビ受信装置１００は、指定されたコンテンツを蓄積している機器からコンテンツを取得する。即ち、指定されたコンテンツがＤ−ＶＨＳ１３０内に格納されていることを認識すると、Ｄ−ＶＨＳ１３０にコンテンツ取得の為のＩＥＥＥ１３９４ ＡＶ／Ｃコマンドを送信する（５０４）。ＡＶ／Ｃコマンドを受信したＤ−ＶＨＳ１３０は、コンテンツを再生し、ＩＥＥＥ１３９４経由でテレビ受信装置１００に送信する（５０５）。
【００６０】
テレビ受信装置１００は、Ｄ−ＶＨＳ１３０からのデータを順次、受信しつつ、エンコーダ１２２により携帯電話３００での受信・再生に適したフォーマットに変換する（５０６）。このフォーマット変換の後、テレビ受信装置１００は、ＴＣＰ／ＩＰでの送信に利用するシーケンス番号とコンテンツの位置情報を表すタイムスタンプを再生位置記憶部１２４に格納する（５０７）。ここで、タイムスタンプは、フォーマット変換前後で共通のコンテンツ再生位置を表すものとする。この情報により、テレビ受信装置１００は、送信エラー又はデコードエラーの起こったコンテンツの位置を一意に識別出来る。テレビ受信装置１００は、再生位置を記録した後、携帯電話３００にＴＣＰ／ＩＰでコンテンツの送信を開始する（５０８）。
【００６１】
コンテンツを受信した携帯電話３００は、通信制御部３０８で受信したＴＣＰ／ＩＰヘッダを解析し、順次、バッファ３１０に格納する。デコーダ３０９は、格納されたコンテンツデータをバッファ３１０から順次、取り出してデコードし、デコードされたデータを表示部３０３に表示させる（５０９）。携帯電話３００は、エラー有無の情報を含む受信確認通知をテレビ受信装置１００に返信する（５１０）。
【００６２】
以上の手順により、ユーザは、所望のコンテンツを携帯電話３００で視聴することが可能となる。
【００６３】
コンテンツの再生が全て終了するか、又は通信状況の悪化などにより通信を切断させる場合は、テレビ受信装置１００は、通信を終了する旨のコマンドを携帯電話３００に送信する。このコマンドを受信した携帯電話３００は、終了の許否を示すレスポンスを返信すると共に、テレビ受信装置１００に通信終了要求を送信する。このレスポンスを受信したテレビ受信装置１００は、切断の受け入れを示すレスポンスを返信する。これで、ＴＣＰコネクションの切断が完了する（５１１）。
【００６４】
図８を参照して、蓄積コンテンツの取得から携帯電話３００との通信に関するテレビ受信装置１００の動作を詳しく説明する。
【００６５】
上述したように、テレビ受信装置１００は、制御可能な蓄積コンテンツすると（Ｓ７００）、エンコーダ１２２で携帯電話３００での視聴に適したフォーマットに変換する（Ｓ７０１）。
【００６６】
テレビ受信装置１００は、フォーマット変換の後、ＴＣＰ／ＩＰでデータを携帯電話３００に送信するが、そのとき、ＴＣＰヘッダで利用するシーケンス番号とコンテンツの再生位置情報を識別するタイムスタンプとを対応付けて、再生位置記憶部１２４に保存する（Ｓ７０２）。ＴＣＰヘッダについては後述する。テレビ受信装置１００は、通信制御部１２３から上記シーケンス番号でコンテンツを携帯電話３００にコンテンツデータを送信する（Ｓ７０３）。
【００６７】
ＴＣＰでは、信頼性の高い通信を実現する為に、途中でＴＣＰセグメントが紛失した場合に、それを検出し再送する仕組みがある。途中でＴＣＰセグメントが紛失するケースとしては、送信したＴＣＰセグメントが途中でなくなるケースと、受信側からの確認の応答が途中で無くなるケースの２つの可能性が考えられる。これらの通信エラーを、テレビ受信装置１００が主体となって検出する。テレビ受信装置１００は、ＴＣＰセグメントを送信したら、これに対応する確認応答（ＡＣＫ）を期待する。この確認応答が一定時間以内に返ってこなかったとき、テレビ受信装置１００は、途中でＴＣＰセグメントが紛失したと判断する。通常のＴＣＰ／ＩＰでは、再度、ＴＣＰセグメントを送信するが、本実施例のテレビ受信装置１００は、確認応答の有無で処理を分岐する（Ｓ７０４）。
【００６８】
確認応答が戻ってこなかった場合、テレビ受信装置１００は、再生位置記憶部１２４にセグメントに関する情報としてシーケンス番号とタイムスタンプを残したまま、次のセグメントの送信を開始する。確認応答が戻って来た場合、携帯端末３００がユーザにコンテンツを正常に提示出来たか否で処理を分岐させる（Ｓ７０５）。デコードエラーなどにより、ユーザにコンテンツを提示できなかった場合、確認応答が戻ってこなかった場合と同様に、テレビ受信装置１００は、再生位置記憶部１２４にセグメントに関する情報としてシーケンス番号とタイムスタンプを残したまま、次のセグメントの送信を開始する。他方、携帯端末３００が正常にコンテンツの再生を完了した場合、テレビ受信装置１００は、再生位置記憶部１２４に記憶してあるセグメントに関する情報（シーケンス番号とタイムスタンプ）をクリアし、次のセグメントの送信を開始する（Ｓ７０６）。
【００６９】
このような手順により、通信エラー又はデコードエラーがあった時の再生位置の情報だけが、テレビ受信装置１００の再生位置記憶部１２４に蓄積されていく。また、一定時間内に通信エラー又はデコードエラーが頻発する場合、テレビ受信装置１００は、携帯電話３００との間の通信状態が悪化したと判断し、携帯電話３００とのＴＣＰコネクションを切断する。
【００７０】
図９は、コンテンツの受信から確認応答の送信に関する携帯電話３００の動作のフローを示す。図９を参照して、携帯電話３００におけるコンテンツの受信から確認応答の送信までの動作を詳しく説明する。
【００７１】
携帯端末３００は、通信制御部３０８によりテレビ受信装置１００から送信されるＴＣＰセグメントを受信する（Ｓ８００）。携帯電話３００は、受信したデータをＴＣＰコネクション確立の際に通知したウインドウ・サイズ分だけバッファ３１０にバッファリングする（Ｓ８０１）。その後、順次、デコーダ３０９がデコードを開始する（Ｓ８０２）。ここでデコードエラーが発生したか否かによって処理が分岐する（Ｓ８０３）。デコードエラーが発生しなかった場合、通常のＴＣＰ／ＩＰの処理に従い確認応答を返信し、次の処理に移行する（Ｓ８０５）。他方、デコードエラーが発生し、ユーザに対して正常にコンテンツ提示を行うことが出来なかった場合、ＴＣＰヘッダのデコードエラーフラグをオンにし（Ｓ８０４）、確認応答を返信する（Ｓ８０５）。デコードエラーフラグに関しては、後述する。
【００７２】
図１０は、本実施例で適用するＴＣＰヘッダのフォーマットを示す。送信元ポート番号及び宛て先ポート番号は、それぞれ１６ビットの情報であり、このＴＣＰセグメントを使用するアプリケーションを識別するものである。従ってここには、テレビ受信装置１００のアプリケーション及び携帯電話３００のアプリケーションを識別する番号が記載される。
【００７３】
シーケンス番号とは、ＴＣＰセグメントを送るたびに増加する番号であり、通信先にＴＣＰセグメントの順番を認識させるために使用される。本実施例では、上記したように、このシーケンス番号とコンテンツのタイムスタンプを対応させて記憶することで、通信時にエラーが発生した場合でも、紛失したデータの再生位置を特定出来る。
【００７４】
また、確認応答番号は、ＴＣＰセグメントを正しく受け取ったことを相手に通知する為の番号であり、シーケンス番号と共に使用される。携帯電話３００でデコード時にエラーが発生した場合でも、通信データを正常に受信できている限り、携帯電話３００は、この確認応答番号を記載したデータを返信する。
【００７５】
予約領域は６ビットからなり、通常のＴＣＰ／ＩＰでは将来的な拡張のために確保された未使用領域である。本実施例では、この領域の一部をデコードエラーの有無を検出するために利用する。図１１は、予約領域の説明図である。「予約」と付記した上位５ビットは、本実施例でも使用されず、通常、’０’が格納される。デコードエラーと付記した最下位ビットには、携帯端末３００のデコーダ３０９で何らかのエラーが発生した場合、’１’が格納され、正常にデコードが完了した場合には’０’が格納される。このように予約領域を利用することで、テレビ受信装置１００は、携帯電話３００のデコードエラーを検出出来るようになる。
【００７６】
ユーザがテレビ受信装置１００で制御可能なコンテンツを形態電話３００で視聴している間に、受信状態の悪化などで通信エラー又はデコードエラーが頻発した際、ユーザは、コンテンツの視聴を断念し、通信を切断することが予想される。また、電波受信自体が困難な場合、この事態を受けテレビ受信装置１００が送信を停止することもありうる。
【００７７】
このような状況において、ユーザは、帰宅した際、途中で断念せざるを得なかったコンテンツを自宅のテレビ受信装置１００で視聴することが予想される。このとき、ユーザは、初めから視聴し直すこともあるであろうが、多くの場合は、外出先で見ることの出来なかったコンテンツの一部、即ち、中断箇所以降を視聴するという利用が考えられる。
【００７８】
テレビ受信装置１００は、ユーザが携帯電話３００で視聴できなかったコンテンツの位置を再生位置記憶部１２４に保持している。帰宅後、ユーザにより電源を投入されると、テレビ受信装置１００は、画像表示部１１２に図１２に示すようなメッセージを表示する。ユーザは、テレビ受信装置１００のリモコン１１６又は操作部１１４により、表示されたＧＵＩの「見てないところだけを見る」を選択した場合、テレビ受信装置１００は、再生位置記憶部１２４に記憶されているタイムスタンプから再生開始位置を決定し、Ｄ−ＶＨＳ１３０にその位置からの再生を指示するＡＶ／Ｃコマンドを送信する。これにより、テレビ受信装置１００は、ユーザが視聴できなかった箇所からコンテンツを再生表示する。
【００７９】
このようにして、本実施例では、ユーザは、外出先で見ることの出来なかったコンテンツを、その記録位置を手動で検索すること無しに、テレビ受信装置で視聴できる。
【００８０】
本実施例では、テレビ受信装置が制御可能なコンテンツとして蓄積コンテンツを例に挙げ説明したが、放送波からのコンテンツを使用し、提示出来なかった箇所から記憶媒体に録画を開始し、帰宅後、これを提示するという構成にすることも可能である。
【００８１】
本実施例では、蓄積コンテンツとしてＩＥＥＥ１３９４で接続されたＤ−ＶＨＳのコンテンツを利用したが、テレビ受信装置に内蔵されるＨＤＤ（ハードディスクドライブ）又はその他の機器を利用する構成に変更することもできる。
【００８２】
本実施例では、ＴＣＰ／ＩＰを用いて通信を行うとしたが、それ以外の通信プロトコルを用いてもよい。
【００８３】
本実施例では、通信エラーとデコードエラーの際に再送を行わないとしたが、一定回数の再送を試みるようにしてもよい。
【００８４】
本実施例では、予約領域を使用し通知するエラーはデコードエラーのみであるが、未使用の予約領域を利用してその他のエラーを通知すること可能である。
【００８５】
本実施例では、携帯端末の一例として携帯電話を使用するとしたが、カーナビゲーションシステムのような移動体通信機器を利用する構成に適用することも可能である。
【実施例２】
【００８６】
以下、本発明の第２実施例を説明する。第２実施例は、第１実施例に係るエラー検出時に保存する情報、及び、ユーザへのコンテンツ開始位置提示方法について、異なる特徴を有する。第１実施例との相違点のみを説明する。
【００８７】
図１３は、第２実施例に係るテレビ受信装置１００ａの概略構成ブロック図を示す。図１に示すテレビ受信装置１００と同じ構成要素には同じ符号を付してある。テレビ受信装置１００との相違点として、テレビ受信装置１００ａは、静止画キャプチャ装置１２５を具備する。
【００８８】
テレビ受信装置１００ａは、携帯電話３００に対しＴＣＰ／ＩＰによりコンテンツを送信する。テレビ受信装置１００ａは、コンテンツ送信に先立ち、ＴＣＰ／ＩＰヘッダのシーケンス番号とコンテンツのタイムスタンプに加え、該当するタイムスタンプに対応するコンテンツの静止画情報を静止画キャプチャ装置１２５で取得し、再生位置記憶部１２４に記憶する。
【００８９】
携帯端末からの確認応答（ＡＣＫ）により正常動作を確認した場合、対応するシーケンス番号、タイムスタンプ及び静止画像の情報はクリアされる。他方、通信エラーによりＴＣＰセグメント又は確認応答を紛失した場合、及びデコードエラーが発生した場合、テレビ受信装置１００ａは、シーケンス番号、タイムスタンプ及び静止画像の情報を保持しつづける。テレビ受信装置１００ａは、ユーザによる携帯電話３００からの送信停止要求がない限り、送信を試みつづける。
【００９０】
ユーザは、帰宅した際、通信エラー及びデコードエラーなどにより携帯電話３００による視聴を途中で断念せざるを得なかった場合、そのコンテンツを自宅のテレビ受信装置１００ａで視聴することが予想される。このとき、ユーザは、外出先で見ることの出来なかったコンテンツの一部を確認するという利用が考えられる。
【００９１】
テレビ受信装置１００ａは、ユーザが携帯電話３００で視聴できなかったコンテンツの位置及びそれに対応する静止画像を再生位置記憶部１２４に保持している。帰宅後、ユーザにより電源が投入されると、テレビ受信装置１００ａは、再生位置記憶部１２４に保持される情報を基に図１４に示すようなＧＵＩ（グラフィカル・ユーザ・インターフェース）を画像表示部１１２に表示する。連続したコンテンツ情報が再生位置記憶部１２４に保持されている場合は、先頭の静止画像をインデックスとして使用する。ユーザが視聴できなかったコンテンツの静止画像がインデックスとして一覧表示される。ユーザがリモコン１１６又は操作部１１４により特定の静止画像が選択すると、テレビ受信装置１００ａは、その位置からの再生要求をＤ−ＶＨＳ１３０に送信し、その位置からのコンテンツが再生される。
【００９２】
以上の手順により、ユーザは、外出先で見ることの出来なかったコンテンツの位置を手動で検索することなく、テレビ受信装置で視覚的に所望のコンテンツ位置を確認して視聴できる。
【００９３】
本実施例では、静止画キャプチャ装置１２５は、専用のハードウェアとしても、ソフトウエアとしても実装可能である。
【００９４】
本実施例では、静止画像を逐一記憶するとしたが、インデックス作成時にコンテンツのタイムスタンプを基に静止画データを取得し表示するという構成に変更してもよい。
【００９５】
本実施例では、再生位置を特定する静止画像をインデックス表示するとしたが、スライドショーその他の表示・選択法を用いてもよい。
【実施例３】
【００９６】
本発明の第３実施例を説明する。第３実施例は、第２実施例とは再視聴コンテンツの提示方法で異なる特徴を有する。
【００９７】
図１５は、第３実施例に係るテレビ受信装置１００ｂの概略構成ブロック図を示す。図１及び図１３に示す実施例と同じ構成要素には同じ符号を付してある。テレビ受信装置１００ｂには、ＨＤＤ１２６を追加してある。
【００９８】
テレビ受信装置１００ｂは、コンテンツ送信に先立ち、ＴＣＰ／ＩＰヘッダのシーケンス番号とコンテンツのタイムスタンプに加え、そのタイムスタンプに対応するコンテンツの静止画情報を静止画キャプチャ装置１２５により取得し、再生位置記憶部１２４に記憶する。
【００９９】
携帯端末からの確認応答（ＡＣＫ）により正常動作を確認した場合、対応するシーケンス番号、タイムスタンプ及び静止画像の情報はクリアされる。他方、通信エラー又はデコードエラーを検出した場合、シーケンス番号、タイムスタンプ及び静止画像の情報を保持しつづける。
【０１００】
ある期間、連続して通信エラー又はデコードエラーが検出された場合、正常通信及び正常デコードが確認されたタイミングで、エラーで表示されなかったコンテンツのダイジェストストリームを生成し、ＨＤＤ１２６に保持する。その期間は、初めにエラーが検出されてから、シーケンス番号、タイムスタンプ及び静止画像の連続した情報が存在するまでの期間である。ＨＤＤ１２６には、テレビ受信装置１００ｂでの視聴に適したフォーマットで記録される。即ち、ＨＤＤ１２６への記録には、携帯電話３００に適したフォーマットへの変換は行われない。
【０１０１】
以下の説明では、エラーが検出されたが、連続していない場合、テレビ受信装置１００ｂは、３分間のダイジェストストリームを生成し、ＨＤＤ１２６に蓄積するものとする。
【０１０２】
ユーザは、通信エラー及びデコードエラーなどにより携帯電話３００による視聴を途中で断念せざるを得なかった場合、帰宅した際に、そのコンテンツを自宅のテレビ受信装置１００ｂで視聴することが予想される。このとき、ユーザは、外出先で見ることの出来なかったコンテンツの一部を確認するという利用が考えられる。
【０１０３】
上述した手段により、テレビ受信装置１００ｂは、ユーザが携帯電話３００で視聴できなかったコンテンツの位置及びそれに対応する静止画像を再生位置記憶部１２４に保持している。
【０１０４】
帰宅後、ユーザにより電源が投入されると、テレビ受信装置１００ｂは、再生位置記憶部１２４に保持してある情報を基に図１４に示すようなＧＵＩを画像表示部１１２に表示する。再生位置記憶部１２４に連続したコンテンツ情報が保持されている場合、先頭の静止画像をインデックスとして使用する。ユーザが視聴できなかったコンテンツの静止画像が、インデックスとして一覧表示される。リモコン１１６又は操作部１１４により特定の静止画像が選択されると、テレビ受信装置１００ｂは、事前に蓄積されている指定位置からのダイジェストストリームをＨＤＤ１２６から取得し、画像表示部１１２に表示させる。これにより、ユーザは所望のコンテンツを画面上で視覚的に確認できる。
【０１０５】
以上の手順により、ユーザは、外出先で見ることの出来なかったコンテンツの位置を手操作で検索することなく、テレビ受信装置１００ｂで視覚的に所望の位置からのコンテンツのみを簡単に確認出来る。
【実施例４】
【０１０６】
本発明の第４実施例を説明する。第4実施例は、上述した第１、第２及び第３実施例とは、再生位置情報の保存方法で異なる特徴を有する。
【０１０７】
第４実施例では、テレビ受信装置１００，１００ａ，１００ｂは、再生位置記憶部１２４に蓄積した、ユーザが携帯電話３００で視聴できなかったコンテンツの位置情報及びそれに対応する静止画情報を、携帯電話３００との通信が切断された時点で、インターネット４０３に接続された図示しないサーバにユーザＩＤと共に送信する。ユーザＩＤは、テレビ受信装置１００，１００ａ，１００ｂが通信している携帯電話３００を識別する為に利用する情報であり、テレビ受信装置１００，１００ａ，１００ｂと携帯電話３００との間のＴＣＰ／ＩＰコネクション確立の際、携帯電話３００からテレビ受信装置１００，１００ａ，１００ｂに送信される。サーバにこれらの情報を送信したテレビ受信装置１００，１００ａ，１００ｂは、再生位置記憶部１２４からその情報を消去する。
【０１０８】
ユーザは、帰宅した際、通信エラー及びデコードエラーなどにより携帯電話３００による視聴を途中で断念せざるを得なかった場合、そのコンテンツを自宅のテレビ受信装置１００，１００ａ，１００ｂで視聴することが予想される。ユーザは、自分の携帯電話３００を識別する為のユーザＩＤをテレビ受信装置１００，１００ａ，１００ｂに入力する。テレビ受信装置１００，１００ａ，１００ｂは、そのために必要な情報を上記したサーバから獲得し、ユーザが所望の箇所より再視聴しやすいように制御を行う。
【０１０９】
このような構成をとることで、複数のユーザの利用が快適になるばかりか、テレビ受信装置１００，１００ａ，１００ｂのリソースをより有効に活用出来る。
【０１１０】
本実施例では、テレビ受信装置１００，１００ａ，１００ｂは、通信相手の携帯電話３００との通信が切断された時点で、サーバに情報を送信するとしたが、通信途中に逐一、情報を送信する構成に変更してもよい。
【０１１１】
本発明はその精神、またはその主要な特徴から逸脱することなく、様々な形で実施することが出来る。従って、上述の第１〜第４実施例は、あらゆる点に於いて単なる例示に過ぎず、限定的に解釈されるべきではない。
【符号の説明】
【０１１２】
１００，１００ａ，１００ｂ：テレビ受信装置
１０１：チューナ
１０２：デスクランブラ
１０３：デマルチプレクサ
１０４：ビデオデコーダ
１０５：オーディオデコーダ
１０６：データストリーム処理部
１０７：メモリ部
１０８：画像構成部
１０９：表示制御部
１１０：ＤＡＣ
１１２：画像表示部
１１３：音声出力部
１１４：操作部
１１５：受光部
１１６：リモコン
１１７：ＩＣカード制御部
１１８：ＣＰＵ
１２０：バス
１２１：ＩＥＥＥ１３９４インターフェース
１２２：エンコーダ
１２３：通信制御部
１２４：再生位置記憶部
１２５：静止画キャプチャ装置
１２６：ＨＤＤ
１３０：Ｄ−ＶＨＳ
１３１：プリンタ
【図１】
0004933594.tif 000002
【図２】
0004933594.tif 000003
【図３】
0004933594.tif 000004
【図４】
0004933594.tif 000005
【図５】
0004933594.tif 000006
【図６】
0004933594.tif 000007
【図７】
0004933594.tif 000008
【図８】
0004933594.tif 000009
【図９】
0004933594.tif 000010
【図１０】
0004933594.tif 000011
【図１１】
0004933594.tif 000012
【図１２】
0004933594.tif 000013
【図１３】
0004933594.tif 000014
【図１４】
0004933594.tif 000015
【図１５】
0004933594.tif 000016